(57)【要約】【課題】実際にカメラ等に搭載可能な小型で構造が簡単なエレクトレットシャッタ及び撮像モジュールを提供することである。【解決手段】本エレクトレットシャッタは、所定の開口部１７を有し外周部表面に複数の駆動電極１４が設けられた固定子１３と、該固定子１３の中心部に回動可能に取り付けられた移動子２０とを備えて成る。該移動子２０は、固定子１３の駆動電極１４と対向する面に所定の間隔を保つように配設されるもので、移動子２０の固定子１３側に永久分極された誘電体であるエレクトレットを固着している。【選択図】      図１
2006047835.tif 000002
【特許請求の範囲】
【請求項１】
所定の開口部を有し外周部表面に複数の駆動電極が設けられた固定部材と、
該固定部材の中心部に回動可能に取り付けられ、該固定部材の上記駆動電極と対向する面に所定の間隔を保つように配設され、該移動部材の上記固定部材側には永久分極された誘電体であるエレクトレットが固着された移動部材と、
を有したことを特徴とするエレクトレットシャッタ。
【請求項２】
上記固定部材は円盤形状であることを特徴とする請求項１に記載のエレクトレットシャッタ。
【請求項３】
上記移動部材は円盤形状であることを特徴とする請求項１に記載のエレクトレットシャッタ。
【請求項４】
上記移動部材は上記固定部材の上記駆動電極を覆うように構成されていることを特徴とする請求項１に記載のエレクトレットシャッタ。
【請求項５】
上記移動部材は複数形状の開口部を有することを特徴とする請求項１に記載のエレクトレットシャッタ。
【請求項６】
上記駆動電極に印加する交番電解の周波数を可変することによって上記移動部材の回転速度を可変することを特徴とする請求項１に記載のエレクトレットシャッタ。
【請求項７】
所定の開口部を有し、外周部表面に複数の駆動電極が設けられた固定部材と、
上記開口部より入射した光線が照射されることが可能なように撮像素子が設けられ、上記固定部材が固着された収納部材と、
上記固定部材の中心部に回動可能に取り付けられ、上記固定部材の上記駆動電極に対向する面に所定の間隔を保ち、上記固定部材側には永久分極された誘電体であるエレクトレットが設けられた移動部材と、
を有したことを特徴とするエレクトレットシャッタ。
【請求項８】
所定の開口部を有し、外周部表面に複数の駆動電極が設けられた第１の固定部材と、
上記第１の固定部材の中心部に回動可能に取り付けられ、上記第１の固定部材の駆動電極に対向する面に所定の間隔を保ち、上記固定部材側には永久分極された誘電体であるエレクトレットが設けられた第１の移動部材と、
所定の開口部を有し、外周部表面に複数の駆動電極が設けられた第２の固定部材と、
上記第１の固定部材の中心部に回動可能に取り付けられ、上記第２の固定部材の駆動電極に対向する面に所定の間隔を保ち、上記固定部材側には永久分極された誘電体であるエレクトレットが設けられた第２の移動部材と、
上記第１の固定部材と第２の固定部材の上記駆動電極に印加する交番電解を制御し、上記第１の移動部材と上記第２の移動部材を回転制御して上記開口部に対する開口時間を制御する制御手段と、
を有することを特徴とするエレクトレットシャッタ。
【請求項９】
上記固定部材は円盤形状であることを特徴とする請求項８に記載のエレクトレットシャッタ。
【請求項１０】
上記第１及び第２の移動部材は円盤形状であることを特徴とする請求項８に記載のエレクトレットシャッタ。
【請求項１１】
上記第１及び第２の移動部材は上記固定部材の駆動電極部を覆うように構成されていることを特徴とする請求項８に記載のエレクトレットシャッタ。
【請求項１２】
上記第１及び第２の移動部材は複数形状の開口部を有することを特徴とする請求項８に記載のエレクトレットシャッタ。
【請求項１３】
上記駆動電極に印加する交番電解の周波数を可変することによって上記移動部材の回転速度を可変することを特徴とする請求項８に記載のエレクトレットシャッタ。
【請求項１４】
被写体光束が通過する光束通過領域を有し、所定間隔で配置された複数の駆動用電極が配設された固定部材と、
上記固定部材の中心部に回動可能に取り付けられるもので、該固定部材の上記駆動電極と対向する面に、所定の間隔をおいて永久分極された誘電体であるエレクトレットが複数固着された移動部材と、
を具備することを特徴とするエレクトレットシャッタ。
【請求項１５】
上記固定部材は、円盤形状であることを特徴とする請求項１４に記載のエレクトレットシャッタ。
【請求項１６】
上記移動部材は、円盤形状であることを特徴とする請求項１４に記載のエレクトレットシャッタ。
【請求項１７】
上記移動部材は、少なくとも上記光束通過領域を覆う面積を有することを特徴とする請求項１６に記載のエレクトレットシャッタ。
【請求項１８】
上記移動部材は上記固定部材の上記駆動電極を覆うように構成されていることを特徴とする請求項１４に記載のエレクトレットシャッタ。
【請求項１９】
上記移動部材は少なくとも１つの開口部を有することを特徴とする請求項１４に記載のエレクトレットシャッタ。
【請求項２０】
上記移動部材の少なくとも１つの開口部の面積は、上記光束通過領域の面積よりも小さいことを特徴とする請求項１９に記載のエレクトレットシャッタ。
【請求項２１】
上記駆動電極に印加する交番電解の周波数を可変することによって上記移動部材の回転速度を可変することを特徴とする請求項１４に記載のエレクトレットシャッタ。
【請求項２２】
被写体光束が通過する第１の光束通過領域を有し、その表面に所定間隔で配置された複数の第１の駆動用電極が配設された第１の固定部材と、
上記第１の固定部材の中心部に回動可能に取り付けられるもので、該第１の固定部材の上記駆動電極と対向する面に、所定の間隔をおいて永久分極された誘電体であるエレクトレットが複数固着された第１の移動部材と、
上記第１の固定部材の、上記第１の移動部材と対向する面の裏面に配置され、被写体光束が通過する第２の光束通過領域を有し、その表面に所定間隔で配置された複数の第２の駆動用電極が配設された第２の固定部材と、
上記第２の固定部材の中心部に回動可能に取り付けられるもので、該第２の固定部材の上記第２の駆動電極と対向する面に、所定の間隔をおいて永久分極された誘電体であるエレクトレットが複数固着された第２の移動部材と、
を具備することを特徴とするエレクトレットシャッタ。
【請求項２３】
上記第１及び第２の固定部材は円盤形状であることを特徴とする請求項２２に記載のエレクトレットシャッタ。
【請求項２４】
上記第１及び第２の移動部材は扇形状であることを特徴とする請求項２２に記載のエレクトレットシャッタ。
【請求項２５】
上記第１及び第２の移動部材は、それぞれ少なくとも上記第１及び第２の光束通過領域を覆う面積を有することを特徴とする請求項２４に記載のエレクトレットシャッタ。
【請求項２６】
上記第１及び第２の駆動電極に印加する交番電解の周波数を可変することによって上記第１及び第２の移動部材の回転速度を可変することを特徴とする請求項２２に記載のエレクトレットシャッタ。
【請求項２７】
被写体光束が通過する光束通過領域を有し、所定間隔で配置された複数の駆動用電極が配設された固定部材と、
上記固定部材の中心部に回動可能に取り付けられるもので、該固定部材の上記駆動電極と対向する面に、所定の間隔をおいて永久分極された誘電体であるエレクトレットが複数固着された移動部材と、
上記固定部材の上記移動部材と対向する面の裏面側に配置され、上記光束通過領域より入射した光束通過領域受けて被写体を撮像するための撮像素子と、
を具備することを特徴とする撮像モジュール。
【請求項２８】
上記固定部材は、円盤形状であることを特徴とする請求項２７に記載の撮像モジュール。
【請求項２９】
上記移動部材は、円盤形状であることを特徴とする請求項２７に記載の撮像モジュール。
【請求項３０】
上記移動部材は、少なくとも上記光束通過領域を覆う面積を有することを特徴とする請求項２９に記載の撮像モジュール。
【請求項３１】
上記移動部材は上記固定部材の上記駆動電極を覆うように構成されていることを特徴とする請求項２７に記載の撮像モジュール。
【請求項３２】
上記移動部材は少なくとも１つの開口部を有することを特徴とする請求項２７に記載の撮像モジュール。
【請求項３３】
上記移動部材の少なくとも１つの開口部の面積は、上記光束通過領域の面積よりも小さいことを特徴とする請求項３２に記載の撮像モジュール。
【請求項３４】
上記駆動電極に印加する交番電解の周波数を可変することによって上記移動部材の回転速度を可変することを特徴とする請求項２７に記載の撮像モジュール。
【請求項３５】
被写体光束が通過する第１の光束通過領域を有し、その表面に所定間隔で配置された複数の第１の駆動用電極が配設された第１の固定部材と、
上記第１の固定部材の中心部に回動可能に取り付けられるもので、該第１の固定部材の上記駆動電極と対向する面に、所定の間隔をおいて永久分極された誘電体であるエレクトレットが複数固着された第１の移動部材と、
上記第１の固定部材の、上記第１の移動部材と対向する面の裏面に配置され、被写体光束が通過する第２の光束通過領域を有し、その表面に所定間隔で配置された複数の第２の駆動用電極が配設された第２の固定部材と、
上記第２の固定部材の中心部に回動可能に取り付けられるもので、該第２の固定部材の上記第２の駆動電極と対向する面に、所定の間隔をおいて永久分極された誘電体であるエレクトレットが複数固着された第２の移動部材と、
上記第２の固定部材の上記第２の移動部材と対向する面の裏面側に配置され、上記第１及び第２の光束通過領域より入射した光束通過領域受けて被写体を撮像するための撮像素子と、
を具備することを特徴とする撮像モジュール。
【請求項３６】
上記第１及び第２の固定部材は円盤形状であることを特徴とする請求項３５に記載の撮像モジュール。
【請求項３７】
上記第１及び第２の移動部材は扇形状であることを特徴とする請求項３５に記載の撮像モジュール。
【請求項３８】
上記第１及び第２の移動部材は、それぞれ少なくとも上記第１及び第２の光束通過領域を覆う面積を有することを特徴とする請求項３７に記載の撮像モジュール。
【請求項３９】
上記第１及び第２の駆動電極に印加する交番電解の周波数を可変することによって上記第１及び第２の移動部材の回転速度を可変することを特徴とする請求項３５に記載の撮像モジュール。
【発明の詳細な説明】
【技術分野】
【０００１】
本発明は、デジタルカメラ及び該デジタルカメラ等に利用可能なエレクトレットシャッタ及び撮像モジュールに関するものである。
【背景技術】
【０００２】
従来、カメラ等の光学機器に於けるシャッタ装置に於いては、シャッタ羽根をステップモータで駆動する方式や、スプリング力を利用してシャッタ羽根を開閉させる方式のものが知られている。しかしながら、これらの方式によるものは、シャッタ羽根を駆動する駆動装置の駆動力をシャッタ羽根に伝達するために複雑な構造を必要としていた。
【０００３】
そこで、遮光フィルムで形成したシャッタ幕を静電アクチュエータの原理を用いて駆動することにより、軽量化、低コスト化した、極めて簡単な構造のシャッタ装置が提案されている（例えば、特許文献１参照）。
【０００４】
一方、配置スペースを有効利用することができて、組み込まれるレンズ鏡筒等の機器の小型化に有効な装置が知られている（例えば、特許文献２参照）。
【特許文献１】特開平８−２２０５９２号公報
【特許文献２】特開２００３−１００５１４号公報
【発明の開示】
【発明が解決しようとする課題】
【０００５】
ところで、上記特許文献１には、そのシャッタ機構を実際のカメラに搭載するための技術についての具体的な開示がなされていない。
【０００６】
そこで、こうした種類の静電アクチュエータの原理を用いたエレクトレットシャッタ装置（以下、エレクトレットシャッタと略記する）を実際にカメラに搭載させることを考慮すると、駆動電極基板とカバーガラスとを、スペーサを介して積層し、それによってシャッタ幕の移動空間を確保するという構造が考えられる。
【０００７】
しかしながら、複数枚の基板やカバーガラスを積層すると、シャッタ装置全体の厚みが厚くなる。しかも、デジタルカメラの場合、撮影光路内には赤外カットフィルタやローパスフィルタ等の光学部品を挿入する必要があるため、カメラ本体の光軸方向の厚みが増加してしまうという虞れがある。
【０００８】
また、上記特許文献２に記載の技術でも、その光軸方向にスペースを必要としてしまい、鏡筒の小型化には不十分であり、搭載するカメラを小型化しようとする際にも、まだ不十分なものである。
【０００９】
したがって本発明は、上記実状に鑑みてなされたものであり、実際にカメラ等に搭載可能な小型で構造が簡単なエレクトレットシャッタ及び撮像モジュールを提供することを目的とする。
【課題を解決するための手段】
【００１０】
すなわち、請求項１に記載の発明は、所定の開口部を有し外周部表面に複数の駆動電極が設けられた固定部材と、該固定部材の中心部に回動可能に取り付けられ、該固定部材の上記駆動電極と対向する面に所定の間隔を保つように配設され、該移動部材の上記固定部材側には永久分極された誘電体であるエレクトレットが固着された移動部材と、を有したことを特徴とする。
【００１１】
請求項２に記載の発明は、請求項１に記載の発明に於いて、上記固定部材は円盤形状であることを特徴とする。
【００１２】
請求項３に記載の発明は、請求項１に記載の発明に於いて、上記移動部材は円盤形状であることを特徴とする。
【００１３】
請求項４に記載の発明は、請求項１に記載の発明に於いて、上記移動部材は上記固定部材の上記駆動電極を覆うように構成されていることを特徴とする。
【００１４】
請求項５に記載の発明は、請求項１に記載の発明に於いて、上記移動部材は複数形状の開口部を有することを特徴とする。
【００１５】
請求項６に記載の発明は、請求項１に記載の発明に於いて、上記駆動電極に印加する交番電解の周波数を可変することによって上記移動部材の回転速度を可変することを特徴とする。
【００１６】
請求項７に記載の発明は、所定の開口部を有し、外周部表面に複数の駆動電極が設けられた固定部材と、上記開口部より入射した光線が照射されることが可能なように撮像素子が設けられ、上記固定部材が固着された収納部材と、上記固定部材の中心部に回動可能に取り付けられ、上記固定部材の上記駆動電極に対向する面に所定の間隔を保ち、上記固定部材側には永久分極された誘電体であるエレクトレットが設けられた移動部材と、を有したことを特徴とするエレクトレットシャッタ。
【００１７】
請求項８に記載の発明は、所定の開口部を有し、外周部表面に複数の駆動電極が設けられた第１の固定部材と、上記第１の固定部材の中心部に回動可能に取り付けられ、上記第１の固定部材の駆動電極に対向する面に所定の間隔を保ち、上記固定部材側には永久分極された誘電体であるエレクトレットが設けられた第１の移動部材と、所定の開口部を有し、外周部表面に複数の駆動電極が設けられた第２の固定部材と、上記第１の固定部材の中心部に回動可能に取り付けられ、上記第２の固定部材の駆動電極に対向する面に所定の間隔を保ち、上記固定部材側には永久分極された誘電体であるエレクトレットが設けられた第２の移動部材と、上記第１の固定部材と第２の固定部材の上記駆動電極に印加する交番電解を制御し、上記第１の移動部材と上記第２の移動部材を回転制御して上記開口部に対する開口時間を制御する制御手段と、を有することを特徴とする。
【００１８】
請求項９に記載の発明は、請求項８に記載の発明に於いて、上記固定部材は円盤形状であることを特徴とする。
【００１９】
請求項１０に記載の発明は、請求項８に記載の発明に於いて、上記第１及び第２の移動部材は円盤形状であることを特徴とする。
【００２０】
請求項１１に記載の発明は、請求項８に記載の発明に於いて、上記第１及び第２の移動部材は上記固定部材の駆動電極部を覆うように構成されていることを特徴とする。
【００２１】
請求項１２に記載の発明は、請求項８に記載の発明に於いて、上記第１及び第２の移動部材は複数形状の開口部を有することを特徴とする。
【００２２】
請求項１３に記載の発明は、請求項８に記載の発明に於いて、上記駆動電極に印加する交番電解の周波数を可変することによって上記移動部材の回転速度を可変することを特徴とする。
【００２３】
請求項１４に記載の発明は、被写体光束が通過する光束通過領域を有し、所定間隔で配置された複数の駆動用電極が配設された固定部材と、上記固定部材の中心部に回動可能に取り付けられるもので、該固定部材の上記駆動電極と対向する面に、所定の間隔をおいて永久分極された誘電体であるエレクトレットが複数固着された移動部材と、を具備することを特徴とする。
【００２４】
請求項１５に記載の発明は、請求項１４に記載の発明に於いて、上記固定部材は、円盤形状であることを特徴とする。
【００２５】
請求項１６に記載の発明は、請求項１４に記載の発明に於いて、上記移動部材は、円盤形状であることを特徴とする。
【００２６】
請求項１７に記載の発明は、請求項１６に記載の発明に於いて、上記移動部材は、少なくとも上記光束通過領域を覆う面積を有することを特徴とする。
【００２７】
請求項１８に記載の発明は、請求項１４に記載の発明に於いて、上記移動部材は上記固定部材の上記駆動電極を覆うように構成されていることを特徴とする。
【００２８】
請求項１９に記載の発明は、請求項１４に記載の発明に於いて、上記移動部材は少なくとも１つの開口部を有することを特徴とする。
【００２９】
請求項２０に記載の発明は、請求項１９に記載の発明に於いて、上記移動部材の少なくとも１つの開口部の面積は、上記光束通過領域の面積よりも小さいことを特徴とする。
【００３０】
請求項２１に記載の発明は、請求項１４に記載の発明に於いて、上記駆動電極に印加する交番電解の周波数を可変することによって上記移動部材の回転速度を可変することを特徴とする。
【００３１】
請求項２２に記載の発明は、被写体光束が通過する第１の光束通過領域を有し、その表面に所定間隔で配置された複数の第１の駆動用電極が配設された第１の固定部材と、上記第１の固定部材の中心部に回動可能に取り付けられるもので、該第１の固定部材の上記駆動電極と対向する面に、所定の間隔をおいて永久分極された誘電体であるエレクトレットが複数固着された第１の移動部材と、上記第１の固定部材の、上記第１の移動部材と対向する面の裏面に配置され、被写体光束が通過する第２の光束通過領域を有し、その表面に所定間隔で配置された複数の第２の駆動用電極が配設された第２の固定部材と、上記第２の固定部材の中心部に回動可能に取り付けられるもので、該第２の固定部材の上記第２の駆動電極と対向する面に、所定の間隔をおいて永久分極された誘電体であるエレクトレットが複数固着された第２の移動部材と、を具備することを特徴とする。
【００３２】
請求項２３に記載の発明は、請求項２２に記載の発明に於いて、上記第１及び第２の固定部材は円盤形状であることを特徴とする。
【００３３】
請求項２４に記載の発明は、請求項２２に記載の発明に於いて、上記第１及び第２の移動部材は扇形状であることを特徴とする。
【００３４】
請求項２５に記載の発明は、請求項２４に記載の発明に於いて、上記第１及び第２の移動部材は、それぞれ少なくとも上記第１及び第２の光束通過領域を覆う面積を有することを特徴とする。
【００３５】
請求項２６に記載の発明は、請求項２２に記載の発明に於いて、上記第１及び第２の駆動電極に印加する交番電解の周波数を可変することによって上記第１及び第２の移動部材の回転速度を可変することを特徴とする。
【００３６】
請求項２７に記載の発明は、被写体光束が通過する光束通過領域を有し、所定間隔で配置された複数の駆動用電極が配設された固定部材と、上記固定部材の中心部に回動可能に取り付けられるもので、該固定部材の上記駆動電極と対向する面に、所定の間隔をおいて永久分極された誘電体であるエレクトレットが複数固着された移動部材と、上記固定部材の上記移動部材と対向する面の裏面側に配置され、上記光束通過領域より入射した光束通過領域受けて被写体を撮像するための撮像素子と、を具備することを特徴とする。
【００３７】
請求項２８に記載の発明は、請求項２７に記載の発明に於いて、上記固定部材は、円盤形状であることを特徴とする。
【００３８】
請求項２９に記載の発明は、請求項２７に記載の発明に於いて、上記移動部材は、円盤形状であることを特徴とする。
【００３９】
請求項３０に記載の発明は、請求項２９に記載の発明に於いて、上記移動部材は、少なくとも上記光束通過領域を覆う面積を有することを特徴とする。
【００４０】
請求項３１に記載の発明は、請求項２７に記載の発明に於いて、上記移動部材は上記固定部材の上記駆動電極を覆うように構成されていることを特徴とする。
【００４１】
請求項３２に記載の発明は、請求項２７に記載の発明に於いて、上記移動部材は少なくとも１つの開口部を有することを特徴とする。
【００４２】
請求項３３に記載の発明は、請求項３２に記載の発明に於いて、上記移動部材の少なくとも１つの開口部の面積は、上記光束通過領域の面積よりも小さいことを特徴とする。
【００４３】
請求項３４に記載の発明は、請求項２８に記載の発明に於いて、上記駆動電極に印加する交番電解の周波数を可変することによって上記移動部材の回転速度を可変することを特徴とする。
【００４４】
請求項３５に記載の発明は、被写体光束が通過する第１の光束通過領域を有し、その表面に所定間隔で配置された複数の第１の駆動用電極が配設された第１の固定部材と、上記第１の固定部材の中心部に回動可能に取り付けられるもので、該第１の固定部材の上記駆動電極と対向する面に、所定の間隔をおいて永久分極された誘電体であるエレクトレットが複数固着された第１の移動部材と、上記第１の固定部材の、上記第１の移動部材と対向する面の裏面に配置され、被写体光束が通過する第２の光束通過領域を有し、その表面に所定間隔で配置された複数の第２の駆動用電極が配設された第２の固定部材と、上記第２の固定部材の中心部に回動可能に取り付けられるもので、該第２の固定部材の上記第２の駆動電極と対向する面に、所定の間隔をおいて永久分極された誘電体であるエレクトレットが複数固着された第２の移動部材と、上記第２の固定部材の上記第２の移動部材と対向する面の裏面側に配置され、上記第１及び第２の光束通過領域より入射した光束通過領域受けて被写体を撮像するための撮像素子と、を具備することを特徴とする。
【００４５】
請求項３６に記載の発明は、請求項３５に記載の発明に於いて、上記第１及び第２の固定部材は円盤形状であることを特徴とする。
【００４６】
請求項３７に記載の発明は、請求項３５に記載の発明に於いて、上記第１及び第２の移動部材は扇形状であることを特徴とする。
【００４７】
請求項３８に記載の発明は、請求項３７に記載の発明に於いて、上記第１及び第２の移動部材は、それぞれ少なくとも上記第１及び第２の光束通過領域を覆う面積を有することを特徴とする。
【００４８】
請求項３９に記載の発明は、請求項３５に記載の発明に於いて、上記第１及び第２の駆動電極に印加する交番電解の周波数を可変することによって上記第１及び第２の移動部材の回転速度を可変することを特徴とする。
【発明の効果】
【００４９】
本発明によれば、実際にカメラ等に搭載可能な小型で構造が簡単なエレクトレットシャッタ及び撮像モジュールを提供することができる。
【発明を実施するための最良の形態】
【００５０】
以下、図面を参照して、本発明の実施形態を説明する。
【００５１】
（第１の実施形態）
図１乃至図４は、本発明に係る第１の実施形態のロータリタイプのエレクトレットシャッタユニットの構成を示す図である。図１はエレクトレットシャッタユニットの外観を示すもので、（ａ）は初期状態であるシャッタ閉の状態を示した図、（ｂ）はシャッタ開の状態を示した図、（ｃ）は再びシャッタ閉の状態を示した図、図２はシャッタユニットの外観斜視図、図３は該シャッタユニットの移動子の固定子と対向する面側を示した図、図４は該シャッタユニットの構成を示す断面図である。
【００５２】
本撮像モジュール１０は、シャッタユニット２５と、撮像ユニット２６とで構成されている。上記撮像ユニット２６は、一方の側を開口とした円筒形状の収納容器１１と、該収納容器１１内の中心近傍に配置された、ＣＣＤ等の撮像素子１２とを有して構成される。
【００５３】
上記シャッタユニット２５は、上記収納容器１１の開口部分を密閉するようにして配置された円盤形状で遮光性を有する固定部材としての固定子１３と、この固定子１３の中心を軸として回動可能で扇形状（この場合、ほぼ半円形状）の遮光性を有する移動部材としての移動子２０とを有している。
【００５４】
上記固定子１３には、撮像ユニット２６内の撮像素子１２に対応する位置に、開口部１７が形成されている。この開口部１７を通った光が撮像素子１２に結像されるようになっている。そして、固定子１３の周縁部近傍には、該固定子１３の中心より放射状に、複数の帯状に延出された電極部材である駆動電極１４が、所定の間隔で配設されている。また、固定子１３の中心には、後述する移動子２０をボス２３によって回動自在に支持するための穴１５が形成されている。
【００５５】
ここで、固定子１３は、ガラス等を基板として構成されており、その表面に駆動電極１４が形成され、更に駆動電極１４上に絶縁膜（図示せず）が設けられている。この絶縁膜が施されることにより、隣接する駆動電極間の短絡を防止している。
【００５６】
尚、ここでは図示されていないが、撮像素子１２にはその駆動回路等からの配線が接続されている。
【００５７】
一方、移動子２０は、ポリイミドやテフロン（登録商標）が基材として用いられており、アルミニウム等の金属が蒸着されている。これにより、完全ではないものの、ある程度の遮光性を確保することができる。本実施形態に於いては、このような特性を半透光性と称するものとする。
【００５８】
更に、移動子２０は、回転軸となる穴２２を中心とした扇形状を有しているが、少なくとも開口部１７を覆うものであればよい。そして、この移動子２０はシャッタ幕を構成するもので、固定子１３と対向する面側の周縁部近傍には、上述した駆動電極１４と対向して、移動子２０の中心より放射状に、複数の帯状に延出されて永久分極された誘導体（以下、エレクトレットと称する）２１が配設されている。このエレクトレット２１は、コロナ放電法により形成されている（これをエレクトレット化するという）。
【００５９】
そして、上記移動子２０の中心に形成されている穴２２と、固定子１３に形成されている穴１５を介し、ボス２３が収納容器１１に固着されることによって、移動子２０が撮像ユニット２６に回動可能に支持される。
【００６０】
図５は、こうしたエレクトレットシャッタユニットの断面を模式的に示すと共に該エレクトレットシャッタの駆動回路を示した図である。
【００６１】
シャッタユニット２５に於いて、固定子１３に並設されたそれぞれの駆動電極１４には、駆動回路３０からの電圧信号線が接続されている。これらの電圧信号線には、４相の電圧信号が印加されるようになっており、従って、駆動電極１４には、４本毎に同一の電圧信号が印加される。図５では、駆動電極１４にＡ、Ｂ、Ｃ、Ｄの符号を付してこの電圧信号を区別している。
【００６２】
移動子２０には、固定子１３との対向面にエレクトレット２１を複数備えている。
【００６３】
尚、この図は、あくまでも模式図であり、実際のエレクトレットシャッタに於ける電極やエレクトレット化部位の数や配置間隔は、シャッタの大きさ、開口部の面積、エレクトレット化部位の極性、その配置形態、シャッタ装置として要求される駆動分解能、シャッタ最高速度等の様々な要因によって適宜決定されるものである。また、このエレクトレットシャッタの場合、正負の極性を有するエレクトレット化部位が交互に配置されたタイプであるが、何れか一方の極性だけでも実現可能である。
【００６４】
図５の左側には、上述したエレクトレットシャッタユニット２５の構成と共に、エレクトレットシャッタユニット２５に印加する電圧信号を発生するための駆動回路３０の構成が示されている。
【００６５】
パルス発生回路３１で生成した矩形波列（駆動パルス信号）は、位相器３２及び昇圧回路３３に供給される。昇圧回路３３では、入力された矩形波列が１００Ｖ程度まで昇圧されると共に、２つの極性を有する電圧信号に分岐されて、駆動電極４Ａ及び４Ｃに供給される。一方、位相器３２に入力された矩形波列は、９０°位相が遅れた波形となり、その後、昇圧回路３３に入力されて、上述と同様の２つの矩形波列となり、駆動電極１４Ｂ及び１４Ｄに供給される。
【００６６】
図６は、上記駆動回路３０によって作成されて、駆動電極１４Ａ〜１４Ｄに印加される電圧信号列の例を示したタイミングチャートである。このうち、図６（ａ）は駆動電極１４Ａ、図６（ｂ）は駆動電極１４Ｂ、図６（ｃ）は駆動電極１４Ｃ、図６（ｄ）は駆動電極１４Ｄのタイミングチャートである。
【００６７】
尚、駆動電極１４Ａ〜１４Ｄの電圧の状態は、時間ｔ１〜ｔ４の４つの状態が、時間経過に対応して繰り返して変化するものである。
【００６８】
図７（ａ）〜（ｄ）は、上述したエレクトレットシャッタ２５の動作を説明する図である。尚、図７（ａ）〜（ｄ）に於いて、同図右側方向をエレクトレットの進行方向として、後方側（左側）に正極（プラス）のエレクトレット（エレクトレット化部位）２１ａ、前方側（右側）に負極（マイナス）のエレクトレット（エレクトレット化部位）２１ｂが配列されているものとする。
【００６９】
図７（ａ）は、図６に示される時間ｔ１に切り替わった直後のエレクトレットと駆動電極１４の電圧の状態（極性）を示している。
【００７０】
この状態に於いて、正極のエレクトレット２１ａは、駆動電極１４Ａ（正極）から反発力を受け、駆動電極１４Ｂ（負極）から吸引力を受ける。また、負極のエレクトレット２１ｂは、駆動電極１４Ｃ（負極）から反発力を受け、駆動電極１４Ｄ（正極）から吸引力を受ける。このため、移動子２０は、図７（ａ）の右方向に力を受けて、１つの駆動電極ピッチｄ分右方向に移動する。
【００７１】
図７（ｂ）は、時間ｔ２に切り替わった直後のエレクトレットと駆動電極の電圧の状態を示している。
【００７２】
この状態に於いて、エレクトレット２１ａは、駆動電極１４Ｂ（正極）から反発力を受け、駆動電極１４Ｃ（負極）から吸引力を受ける。また、エレクトレット２１ｂは、駆動電極１４Ｄ（負極）から反発力を受け、駆動電極１４Ａ（正極）から吸引力を受ける。このため、移動子２０は、図７（ｂ）の右方向に力を受けて、１つの駆動電極ピッチｄ分移動する。
【００７３】
同様に、図７（ｃ）は、時間ｔ３に切り替わった直後のエレクトレットと駆動電極の電圧の状態を示している。
【００７４】
この状態に於いて、エレクトレット２１ａは、駆動電極１４Ｃ（正極）から反発力を受け、駆動電極１４Ｄ（負極）から吸引力を受ける。また、エレクトレット２１ｂは、更に別の駆動電極１４Ａ（負極）から反発力を受け、駆動電極１４Ｂ（正極）から吸引力を受ける。このため、移動子２０は、図７（ｃ）の右方向に力を受けて、１つの駆動電極ピッチｄ分移動する。
【００７５】
更に、図７（ｄ）は、時間ｔ４に切り替わった直後のエレクトレットと駆動電極の電圧の状態を示している。
【００７６】
この状態に於いて、エレクトレット２１ａは、駆動電極１４Ｄ（正極）から反発力を受け、駆動電極１４Ａ（負極）から吸引力を受ける。また、エレクトレット２１ｂは、駆動電極１４Ｂ（負極）から反発力を受け、駆動電極１４Ｃ（正極）から吸引力を受ける。このため、移動子２０は、図７（ｄ）の右方向に力を受けて、１つの駆動電極ピッチｄ分移動する。
【００７７】
上述したように、移動子２０は１つの駆動電極ピッチｄ移動し、この動作が繰り返されることで、移動子２０は図７（ａ）→（ｂ）→（ｃ）→（ｄ）のように右方向（図示矢印Ｆ方向）に移動する。尚、移動子２０を図の左方向に移動するためには、駆動電極１４に印加する電圧の極性を逆に切り替えれば良い。
【００７８】
このような構成に於いて、駆動電極１４Ａ〜１４Ｄに周波電圧が印加されると、駆動電極１４Ａ〜１４Ｄと上述したエレクトレット２１ａ、２１ｂとの間に吸引力若しくは反発力が発生し、結果的に移動子２０が固定子１３に対して相対移動する。したがって、移動子２０が固定子１３の開口部１７を、開放若しくは遮蔽するように移動可能にしておけば、これによってシャッタ装置を構成することができる。
【００７９】
また、駆動電極１４Ａ〜１４Ｄに入力される電圧の周波数を変化させれば、移動子２０の（回転）速度が変わるため、シャッタスピードを変化させることができる。
【００８０】
図８は、本発明に係る第１の実施形態に於けるカメラのシャッタ関係の電気的構成を示すブロック図である。
【００８１】
図８に於いて、このカメラは、該カメラ全体の制御を司る制御手段である制御回路（ＣＰＵ）３５を有している。この制御回路３５には、カメラ内の各部に電圧を供給する電源３６と、シャッタレリーズを行うためのレリーズ釦３７と、第１及び第２の駆動回路３０ａ及び３０ｂが接続されると共に、測光回路４０が接続されている。
【００８２】
上記第１及び第２の駆動回路３０ａ及び３０ｂは、それぞれ第１及び第２の移動子２０ａ及び２０ｂを所定方向に回転駆動するためのものである。尚、図８には第１及び第２の駆動回路３０ａ及び３０ｂと、第１及び第２の移動子２０ａ及び２０ｂとして示されているが、図１乃至図７に示されるように移動子２０が１つの場合は、第１若しくは第２の何れか一方の駆動回路及び移動子のみ使用すればよい。
【００８３】
レリーズ釦３７は、エレクトレットシャッタによる撮影操作を行うためのスイッチに対応した釦である。このレリーズ釦３７が操作（押圧）されることにより対応するレリーズスイッチ（図示せず）がオンされ、これによって第１、第２の駆動回路３０ａ、３０ｂを通じて第１、第２の移動子２０ａ、２０ｂが所定方向に回転する。
【００８４】
また、測光回路４０は、受光素子４１で得られた受光量に基づいて測光処理を行うための回路である。この測光回路４０で処理された測光値に従って、ＣＰＵ３５が第１、第２の駆動回路３０ａ、３０ｂを駆動制御するようになっている。
【００８５】
次に、図９のフローチャートを参照して、本第１の実施の形態に於けるシャッタレリーズの動作について説明する。尚、以下の説明に於いて、図１乃至図７にて示された移動子２０は、第１の固定子２０ａとする。
【００８６】
レリーズ釦３７が操作（押圧）されて、図示されないレリーズスイッチがオンされると、カメラ等の光学機器のメインルーチンから撮像素子等への露光のためのシャッタレリーズの本サブルーチンに入る。
【００８７】
本サブルーチンでは、先ず、ステップＳ１にて、図１（ａ）に示されるように露光開口（開口部）１７が閉じられた状態で、受光素子４１及び測光回路４０によって測光が行われる。次いで、ステップＳ２に於いて、上記ステップＳ１での測光結果に従って、露光量が決定される。すなわち、本エレクトレットシャッタの機構に於けるシャッタ秒時が決定され、開口部１７を通過する光量が決定される。
【００８８】
具体的には、第１の移動子２０ａの回転角速度（rad／sec）が決定され、該第１の移動子２０ａの扇開口角度（rad ）と回転角速度（rad／sec）の逆数が乗算される。ここで、扇開口角度（rad ）は一定であるから、回転角速度（rad／sec）を可変すると、露光秒時（sec ）を選択できることとなる。そのためには、固定子１３の駆動電極１４にかける単位時間（Ｔ）あたりの電圧パルス数が制御されれば、第１の移動子２０ａの回転速度は可変となる。すなわち、単位時間あたりの電圧パルス数が、測光結果に従って決定される。
【００８９】
次に、ステップＳ３にて、ＣＰＵ３５により第１の駆動回路３０ａが駆動されて、第１の移動子２０ａの駆動手段である固定子１３の駆動電極１４にパルス電圧が印加される。すると、開口部１７が閉じられていたシャッタ幕、すなわち第１の移動子２０ａが回転し始めて、開口部１７が開状態に入る（図１（ｂ）参照）。
【００９０】
ステップＳ４では、パルス電圧が印加されてからの時間をカウントするためタイマ（図示せず）が開始されて時間がカウントされる。そして、ステップＳ５に於いて、上記タイマの所定時間が経過するまでタイマがモニタされる。尚、この所定時間は、上記移動子２０ａが固定子１３上を１回転するまでの時間であり、上記測光結果によって当然１駒撮影毎に変化する。
【００９１】
上記ステップＳ５にて、上記所定時間が経過したならば、上記移動子２０ａが１回転は完了したことになるので、ステップＳ６へ移行する。このステップＳ６では、固定子１３の駆動電極１４にパルス電圧が印加されることを停止するため、ＣＰＵ３５から第１の駆動回路３０ａに駆動停止の指示が出される。これにより、第１の移動子２０ａの駆動手段である固定子１３の駆動電極１４にパルス電圧が加えられるのが停止される。このとき、図１（ｃ）に示されるように、開口部１７は完全に閉じられる。
【００９２】
その後、本サブルーチンが終了して、１駒の露光が完了したとして、図示されないメインのフローチャートに戻る。
【００９３】
このように、駆動電極１４に交番電界が印加されることによって、移動子２０が回動し、固定子１３に設けられた開口部１７から入射する光量を透過または遮断して、撮像素子１２への照射光量が制御可能となる。
【００９４】
こうして、エレクトレットシャッタを使用したレリーズ操作が行われる。
【００９５】
（第２の実施形態）
次に、本発明の第２の実施形態について説明する。
【００９６】
上述した第１の実施形態は、シャッタ幕である移動子を１つで構成した例について説明したが、この第２の実施形態では、移動子を２つで構成した例について説明する。
【００９７】
図１０乃至図１２は、本発明に係る第２の実施形態のロータリタイプのエレクトレットシャッタユニットの構成を示す図である。図１０はエレクトレットシャッタユニットの外観を示すもので、（ａ）は初期状態であるシャッタ閉の状態を示した図、（ｂ）はシャッタ開の状態を示した図、（ｃ）は再びシャッタ閉の状態を示した図、図１１はシャッタユニットの外観斜視図、図１２は該シャッタユニットの構成を示す断面図である。
【００９８】
尚、以下に述べる第２乃至第５の実施形態に於いて、エレクトレットシャッタユニットの主要構成部材については、基本的に図１乃至図８に示される第１の実施形態のシャッタユニットの構成と同じである。したがって、これらの構成及び動作については、同一の部分には同一の参照番号を付して、その図示及び説明は省略する。
【００９９】
本シャッタユニット２５′は、それぞれ独立して回動可能に走行する第１の移動子（シャッタ先幕）２０ａと、第２の移動子（シャッタ後幕）２０ｂとを有するフォーカルプレーンシャッタである。これら第１、第２の移動子２０ａ、２０ｂは、それぞれ上述したエレクトレット２１ａ、２１ｂを備えている。そして、それぞれのエレクトレット２１ａ、２１ｂの対向面側には、複数の帯状に延出された駆動電極（電極部位）１４ａ、１４ｂと、開口部１７ａ、１７ｂが設けられた円盤形状で遮光性を有する固定子１３ａ、１３ｂが配設されている。
【０１００】
上記固定子１３ｂは、上記収納容器１１の開口部分を密閉するようにして配置されている。上記開口部１７ａ、１７ｂは、撮像ユニット２６内の撮像素子１２に対応する位置に形成されている。
【０１０１】
また、第１、第２の移動子２０ａ、２０ｂは、固定子１３ａ、１３ｂの中心を軸として回動可能で扇形状（この場合、ほぼ半円形状）の遮光性を有して構成されている。そして、固定子１３ａ、１３ｂの周縁部近傍には、それぞれの固定子１３ａ、１３ｂの中心より放射状に、複数の帯状に延出された電極部材である駆動電極１４ａ、１４ｂが、所定の間隔で配設されている。
【０１０２】
そして、上記第１、第２の移動子２０ａ、２０ｂの中心に形成されている穴と、第１、第２の固定子１３ａ、１３ｂに形成されている穴を介し、ボス２３が収納容器１１に固着されることによって、第１、第２の移動子２０ａ、２０ｂが撮像ユニット２６に回動可能に支持される。
【０１０３】
次に、図１３のフローチャートを参照して、本第２の実施の形態に於けるシャッタレリーズの動作について説明する。
【０１０４】
レリーズ３７が操作（押圧）されて、図示されないレリーズスイッチがオンされると、カメラ等の光学機器のメインルーチンから撮像素子等への露光のためのシャッタレリーズの本サブルーチンに入る。
【０１０５】
本サブルーチンに入ると、先ず、ステップＳ１１及びＳ１２にて、それぞれフラグＦＦ及びＦＲが“０”にリセット（初期化）される。ここで、ＦＲ＝１は第２の移動子２０ｂが回転開始していることを示し、ＦＦ＝１は第１の移動子２０ａが回転停止したことを示す。
【０１０６】
次いで、ステップＳ１３では測光が行われ、更にステップＳ１４では、露光量、すなわちシャッタ秒時が決定される。本実施形態の場合、第１、第２の移動子２０ａ、２０ｂの回転速度は一定とする。つまり、固定子１３ａ、１３ｂの駆動電極１４ａ、１４ｂに印加する単位時間あたりのパルスの数が固定化されるようにしておく。
【０１０７】
ステップＳ１５にて、ＣＰＵ３５から第１の駆動回路３０ａに駆動が指示され、第１の移動子２０ａの駆動手段である第１の固定子１３ａの駆動電極１４ａにパルス電圧が印加される。開口部（露光開口）１７ａを閉じていたシャッタ幕、すなわち先幕としての第１の移動子２０ａが所定方向に回転し始める。
【０１０８】
ステップＳ１６及びＳ１７では、図示されない第１のタイマと第２のタイマによるカウントが開始される。ここで、第１のタイマは、後述するように露光秒時に関わるタイマである。また、第２のタイマには、第１の移動子２０ａが所定角度回転して、開口部を全開するまでの時間が設定してある。
【０１０９】
次に、ステップＳ１８に於いて、第１のタイマが所定時間経過したか否かがモニタされる。ここで、まだ所定時間が経過していなければステップＳ１９へ移行して、ＦＦのフラグ状態がモニタされる。その結果、ＦＦが“０”のままならば、後述するステップＳ２３へ移行し、第２のタイマが所定の時間経過したか否かがモニタされる。
【０１１０】
そして、ステップＳ２３にて所定時間が経過していなければ、ステップＳ２４へ移行して、ＦＲのフラグ状態がモニタされる。ここで、ＦＲ＝０であれば、上記ステップＳ１８へ移行する。
【０１１１】
この一連のシーケンス、すなわち、ステップＳ１７からステップＳ１８→Ｓ１９→Ｓ２３→Ｓ２４→Ｓ１８のループは、第１の移動子２０ａが開口部１７ａを開放するべく、及び開放しながら移動回転している状態である。この状態を、説明の便宜上「ループＡ」と称するものとする。
【０１１２】
ここで、上記の露光量決定結果により決定されたシャッタ秒時が、長時間秒時（長秒時）であるとする。ここでいう長時間秒時は、第１の移動子２０ａが開口部１７ａを全開するまで第２の移動子２０ｂが回転しないで露光（露光開口全開）を続けている状態をいう。つまり、言い換えれば、いわばストロボシンクロ秒時以上のシャッタ秒時である。
【０１１３】
以下、この場合の説明を行う。
【０１１４】
上述したループＡをプログラムが実行していて、上記露光秒時が長時間秒時であるときは、第１のタイマがそれに見合った長い時間に設定されているので、暫くの間、ループＡの実行は続けられる。
【０１１５】
この状態から、第１の移動子２０ａが露光開口を全開したと判断できる時間、すなわち第２のタイマによる設定時間が経過すると、ステップＳ２３にて第２のタイマが所定時間経過したと判定されて、ループＡからステップＳ２５へと抜け出す。
【０１１６】
ステップＳ２５では、ＣＰＵ３５によって第１の駆動回路３０ａの駆動停止が指示され、第１の固定子１３ａの駆動電極１４ａへの電圧印加が停止される。これにより、第１の移動子２０ａは、露光開口を開状態にして、第１の移動子２０ａの回転移動が終了する。
【０１１７】
次いで、ステップＳ２６では、上記ステップＳ２５からの流れを受けて、第１の移動子２０ａの回転移動が終わっていることをフラグＦＦ＝１として、これが記憶される。この時点では、シャッタ後幕としての第２の移動子２０ｂは、まだ回転移動を開始していない。したがって、ステップＳ２７に於いてＦＲがモニタされるが、この時点ではＦＲ＝０であるので、上記ステップＳ１８へ移行する。
【０１１８】
そして、このステップＳ１８にて、第１のタイマが所定の時間経過したか否かがモニタされる。ここでは、長時間秒時であって、まだ第１のタイマが所定の時間経過していないので、ステップＳ１９へ移行して、フラグＦＦがモニタされる。このステップＳ１９では、第１の移動子２０ａが全開してその回転移動が停止されているので、ＦＦ＝１となる。したがって、第１のタイマが所定の時間経過するまで、再度上記ステップＳ１８へ移行しそこから再びステップＳ１９へ移行するというループ実行が繰り返される。このステップＳ１８→Ｓ１９→Ｓ１８のループ実行を「ループＢ」と称するものとする。
【０１１９】
そして、長時間秒時である第１のタイマの所定の時間が経過すると、ステップＳ１８からステップＳ２０へ移行する。これにより、ＣＰＵ３５からは、第２の駆動回路３０ｂに駆動が指示され、第２の移動子２０ｂの駆動手段である第２の固定子１３ｂの駆動電極１４ｂにパルス電圧が印加される。このとき、第１の移動子２０ａは露光開口を開状態のままで、待機していたシャッタ後幕としての第２の移動子２０ｂが回転し始める。そして、ステップＳ２１に於いて、第３のタイマによるカウントが開始される。この第３のタイマは、第２の移動子２０ｂが移動開始した場所に再び回転移動するまでの時間が設定されている。
【０１２０】
その後、ステップＳ２２にて、ＦＲ＝１として、第２の移動子２０ｂが回転移動していることが記憶される。
【０１２１】
次いで、ステップＳ２３に於いて第２のタイマが所定時間経過したか否かが判定される。先に第２のタイマは所定時間経過済みであるから、ここではステップＳ２５に移行する。この場合、ステップＳ２５でも第１の駆動回路３０ａの停止は済んでいるので、ステップＳ２６へ移行する。このステップＳ２６にて、ＦＦ＝１とされた後、ステップＳ２７に於いてフラグＦＲがモニタされる。
【０１２２】
ここでは、第２の移動子２０ｂが回転移動しているのでＦＲ＝１である。したがって、ステップＳ２８へ移行して、ここで第２の移動子２０ｂが移動開始の場所に回転移動するまでの時間を待つ。すなわち、この所定時間が経過していなければ、この判定が繰り返される。そして、この所定時間が経過したと判定されたならば、ステップＳ２９に移行する。
【０１２３】
このステップＳ２９では、ＣＰＵ３５から第２の駆動回路３０ｂに駆動の停止が指示され、第２の移動子２０ｂの駆動手段である第２の固定子１３ｂの駆動電極１４ｂへのパルス電圧の印加が停止される。こうして、長時間秒時で撮像素子１２への露光が終了する。
【０１２４】
その後、本サブルーチンを抜けてメインルーチンに戻る。
【０１２５】
次に、この図１３のサブルーチンに於いて、上記の露光量決定結果により決定されたシャッタ秒時が長時間秒時未満の高速秒時の場合について説明する。ここでいう高速秒時とは、露光開口が第１の移動子２０ａ及び第２の移動子２０ｂで構成されるスリット、若しくは第１の移動子２０ａと第２の移動子２０ｂとで構成される露光開口より狭く形成される通過開口で露光される場合をいう。
【０１２６】
図１３のフローチャートに於いて、上記ステップＳ１７からループＡまでは、上述した長時間秒時の場合と同様である。このループＡの状態では、第１の移動子２０ａが露光開口を開け始めていて、露光量決定で決定されるステップＳ１８の第１のタイマの時間設定が短めであるので、比較的早目にステップＳ１８からＳ２０へ移行する。
【０１２７】
ステップＳ２０にて、ＣＰＵ３５からは第２の駆動回路３０ｂに駆動が指示され、第２の移動子２０ｂの駆動手段である第２の固定子１３ｂの駆動電極１４ｂにパルス電圧が印加される。このとき、第１の移動子２０ａも回転中であり、第１の移動子２０ａと第２の移動子２０ｂとで構成されるスリットが、露光開口上（露光開口前方若しくは後方）を走行し始める。
【０１２８】
次に、ステップＳ２１にて、第３のタイマによるカウントが開始される。更に、ステップＳ２２にて、フラグＦＲが“１”とされて、第２の移動子２０ｂが回転移動していることが記憶される。
【０１２９】
ステップＳ２３では、第２のタイマがモニタされる。この状態から、第１の移動子２０ａが露光開口を通過中であれば、まだ第２のタイマの所定時間経過中であると判定され、ステップＳ２４へ移行する。
【０１３０】
ステップＳ２４では、フラグＦＲの状態がモニタされる。上記ステップＳ２２にて、ＦＲ＝１と設定されているので、ここでは再び上記ステップＳ２３へ移行する。第２のタイマの所定時間経過中である場合は、ステップＳ２３からステップＳ２４、そして再びステップＳ２３と、ループ実行が繰り返される。この間、第１の移動子２０ａと第２の移動子２０ｂも回転中であり、第１の移動子２０ａと第２の移動子２０ｂとで構成されるスリットが露光開口上を走行する。
【０１３１】
そして、ステップＳ２３に於いて、第２のタイマの所定時間が経過したと判定されると、ステップＳ２５へ移行して、ＣＰＵ３５から第１の駆動回路３０ａの駆動停止が指示され、第１の固定子１３ａの駆動電極１４ａへの電圧印加が停止される。このとき、第１の移動子２０ａの回転移動が停止されるが、第２の移動子２０ｂはまだ回転移動を続けている。したがって、第１の移動子２０ａと第２の移動子２０ｂとで構成されていたスリット幅が徐々に狭くなり、遂にはそのスリットが無くなる。つまり、最終的に露光開口を閉じることになる。
【０１３２】
次に、ステップＳ２６ではＦＦ＝１の処理が行われ、続くステップＳ２７ではＦＲ＝１の判定が行われる。先にＦＲ＝１の処理が行われているので、この場合はステップＳ２８へ移行する。
【０１３３】
ステップＳ２８では、第２の移動子２０ｂが移動開始の場所に回転移動するまでの時間を待つ。すなわち、この所定時間が経過していなければ、この判定が繰り返される。そして、この所定時間が経過したと判定されたならば、ステップＳ２９へ移行する。
【０１３４】
ステップＳ２９では、ＣＰＵ３５から第２の駆動回路３０ｂに駆動の停止が指示され、第２の移動子２０ｂの駆動手段である第２の固定子１３ｂの駆動電極１４ｂへのパルス電圧の印加が停止される。ここで、高速秒時での撮像素子への露光が終了する。
【０１３５】
その後、本サブルーチンを終了してメインルーチンに戻る。
【０１３６】
このようにして、２つの移動子から成るフォーカルプレーンシャッタを構成することも可能である。
【０１３７】
（第３の実施形態）
次に、本発明の第３の実施形態について説明する。
【０１３８】
上述した第１及び第２の実施形態では移動子は扇形状とした例について説明したが、この第３の実施形態では、移動子のシャッタ幕としての部分は扇形状とし、エレクトレットを全周に渡って配設した点が、第１及び第２の実施形態と異なっている。
【０１３９】
図１４は、エレクトレットシャッタユニットの外観を示すもので、（ａ）は初期状態であるシャッタ閉の状態を示した図、（ｂ）はシャッタ開の状態を示した図、（ｃ）は再びシャッタ閉の状態を示した図である。
【０１４０】
図１４に於いて、移動子４５は、扇形状、この場合略半円形状の開口部４６を有して形成されるもので、扇の中心を軸として回動可能とされている。この開口部４６は、移動子４５の中心部分と周縁部分を除いて形成されている。そして、この周縁部分には、固定子１３上に配設された駆動電極１４に対向する面に、該移動子４５の中心より放射状に、複数の帯状に延出されたエレクトレット（図示せず）が、所定の間隔で配設されている。
【０１４１】
その他の構成及び動作は、上述した第１の実施形態と同じである。
【０１４２】
このように構成することにより、第１の実施形態に比べて駆動電極とエレクトレットの対向する面積が大きいので、高速時にも確実に動作することができる。
【０１４３】
（第４の実施形態）
次に、本発明の第４の実施形態について説明する。
【０１４４】
上述した第１乃至第３の実施形態では移動子は扇形状とした例について説明したが、この第４の実施形態では、移動子を円盤形状としてスリットを形成している点が、第１乃至第３の実施形態とは異なっている。
【０１４５】
図１５は、エレクトレットシャッタユニットの外観を示すもので、（ａ）は初期状態であるシャッタ閉の状態を示した図、（ｂ）はシャッタ開の状態を示した図、（ｃ）は再びシャッタ閉の状態を示した図である。
【０１４６】
図１５に於いて、移動子４７は、その中心を軸に回動可能な円盤形状を有しており、その所定箇所に、該移動子４７の中心から放射状に、所定の幅を有したスリット４８が形成されている。そして、この移動子４７の周縁部分には、固定子１３上に配設された駆動電極１４に対向する面に、該移動子４５の中心より放射状に、複数の帯状に延出されたエレクトレット（図示せず）が、所定の間隔で配設されている。
【０１４７】
その他の構成は、上述した第１、第３の実施形態と同じである。尚、移動子４７の駆動に関しては、上述した第１の実施形態と同様であるので、ここでの詳細な説明は省略する。
【０１４８】
本第４の実施形態によるエレクトレットシャッタユニットを使用して撮影が開始されると、図１５（ａ）の状態から、移動子４７が回転し始める。そして、図１５（ｂ）に示されるように、スリット４８が開口部１７上を回転移動する。スリット４８は、連続的に開口部１７上を移動するので、スリット４８が開口部１７上を移動している間が露光時間となる。
【０１４９】
その後、図１５（ｃ）に示されるように、スリット４８が開口部１７上を通過し終えたならば、露光時間が終了する。
【０１５０】
このように構成することにより、スリットを使用して高速秒時の撮影を行うことができる。
【０１５１】
（第５の実施形態）
次に、本発明の第５の実施形態について説明する。
【０１５２】
上述した第４の実施形態では移動子にスリットを１箇所形成していたが、この第５の実施形態では、移動子に複数のスリットを形成している。
【０１５３】
図１６は、エレクトレットシャッタユニットの外観を示すもので、（ａ）は初期状態であるシャッタ閉の状態を示した図、（ｂ）はシャッタ開の状態を示した図、（ｃ）は再びシャッタ閉の状態を示した図である。
【０１５４】
図１６に於いて、移動子５０は、その中心を軸に回動可能な円盤形状を有しており、その所定の複数の箇所、この場合等間隔に３箇所に、該移動子４７の中心から放射状に、所定の幅を有したスリット５１ａ、５１ｂ、５１ｃが形成されている。その他の構成は、上述した第第４の実施形態と同じである。尚、移動子５０の駆動に関しては、上述した第１の実施形態と同様であるので、ここでの詳細な説明は省略する。
【０１５５】
本第５の実施形態によるエレクトレットシャッタユニットを使用して撮影が開始されると、図１６（ａ）の状態から、移動子５０が回転し始める。そして、図１６（ｂ）に示されるように、スリット５１ａが開口部１７上を回転移動する。このとき、他のスリット５１ｂ、５１ｃは、開口部１７ではなく固定子１３上を回転移動している。
【０１５６】
その後、図１５（ｃ）に示されるように、スリット５１ａが開口部１７上を通過し終えて露光時間が終了する。このときも、他のスリット５１ｂ、５１ｃは、まだ固定子１３上にある。そして、図示されないが、更に移動子５０が回転を続けると、今度はスリット５１ｂが開口部１７上を通過し始める。以降の動作は、スリット５１ａの場合と同様であるので説明は省略する。
【０１５７】
このように同一の移動子上に複数のスリットを形成することにより、連写の撮影が可能になる。
【０１５８】
尚、上述した実施形態に於いて、収納容器１１は、一方の側を開口とした円筒形状のものとして説明したが、これに限られるものではない。
【０１５９】
以上、本発明の実施形態について説明したが、本発明は上述した実施形態以外にも、本発明の要旨を逸脱しない範囲で種々の変形実施が可能である。
【図面の簡単な説明】
【０１６０】
【図１】本発明に係る第１の実施形態のロータリタイプのエレクトレットシャッタユニットの外観を示すもので、（ａ）は初期状態であるシャッタ閉の状態を示した図、（ｂ）はシャッタ開の状態を示した図、（ｃ）は再びシャッタ閉の状態を示した図である。
【図２】本発明に係る第１の実施形態のロータリタイプのエレクトレットシャッタユニットの構成を示すもので、シャッタユニットの外観斜視図である。
【図３】本発明に係る第１の実施形態のロータリタイプのエレクトレットシャッタユニットの構成を示すもので、該シャッタユニットの移動子の固定子と対向する面側を示した図である。
【図４】本発明に係る第１の実施形態のロータリタイプのエレクトレットシャッタユニットの構成を示すもので、該シャッタユニットの構成を示す断面図である。
【図５】エレクトレットシャッタユニットの断面を模式的に示すと共に該エレクトレットシャッタの駆動回路を示した図である。
【図６】駆動回路３０によって作成されて、駆動電極１４Ａ〜１４Ｄに印加される電圧信号列の例を示したタイミングチャートである。
【図７】エレクトレットシャッタ２５の動作を説明する図である。
【図８】本発明に係る第１の実施形態に於けるカメラのシャッタ関係の電気的構成を示すブロック図である。
【図９】第１の実施の形態に於けるシャッタレリーズの動作について説明するフローチャートである。
【図１０】本発明に係る第２の実施形態のロータリタイプのエレクトレットシャッタユニットの外観を示すもので、（ａ）は初期状態であるシャッタ閉の状態を示した図、（ｂ）はシャッタ開の状態を示した図、（ｃ）は再びシャッタ閉の状態を示した図である。
【図１１】本発明に係る第２の実施形態のロータリタイプのエレクトレットシャッタユニットの構成を示すもので、シャッタユニットの外観斜視図である。
【図１２】本発明に係る第２の実施形態のロータリタイプのエレクトレットシャッタユニットの構成を示すもので、該シャッタユニットの構成を示す断面図である。
【図１３】第２の実施の形態に於けるシャッタレリーズの動作について説明するフローチャートである。
【図１４】本発明に係る第３の実施形態のロータリタイプのエレクトレットシャッタユニットの外観を示すもので、（ａ）は初期状態であるシャッタ閉の状態を示した図、（ｂ）はシャッタ開の状態を示した図、（ｃ）は再びシャッタ閉の状態を示した図である。
【図１５】本発明に係る第４の実施形態のロータリタイプのエレクトレットシャッタユニットの外観を示すもので、（ａ）は初期状態であるシャッタ閉の状態を示した図、（ｂ）はシャッタ開の状態を示した図、（ｃ）は再びシャッタ閉の状態を示した図である。
【図１６】本発明に係る第５の実施形態のロータリタイプのエレクトレットシャッタユニットの外観を示すもので、（ａ）は初期状態であるシャッタ閉の状態を示した図、（ｂ）はシャッタ開の状態を示した図、（ｃ）は再びシャッタ閉の状態を示した図である。
【符号の説明】
【０１６１】
１０…撮像モジュール、１１…収納容器、１２…撮像素子、１３…固定子、１３ａ…第１の固定子、１３ｂ…第２の固定子、１４、１４ａ、１４ｂ…駆動電極、１７，１７ａ、１７ｂ…開口部（露光開口）、２０…移動子、２０ａ…第１の移動子、２０ｂ…第２の移動子、２３…ボス、２５…シャッタユニット、２６…撮像ユニット、３０…駆動回路、３０ａ…第１の駆動回路、３０ｂ…第２の駆動回路、３５…制御回路（ＣＰＵ）。
【図１】
2006047835.tif 000003
【図２】
2006047835.tif 000004
【図３】
2006047835.tif 000005
【図４】
2006047835.tif 000006
【図５】
2006047835.tif 000007
【図６】
2006047835.tif 000008
【図７】
2006047835.tif 000009
【図８】
2006047835.tif 000010
【図９】
2006047835.tif 000011
【図１０】
2006047835.tif 000012
【図１１】
2006047835.tif 000013
【図１２】
2006047835.tif 000014
【図１３】
2006047835.tif 000015
【図１４】
2006047835.tif 000016
【図１５】
2006047835.tif 000017
【図１６】
2006047835.tif 000018